(57)【要約】   【課題】従来の換気性の靴では不十分であった換気性を向上することを課題とする。  【解決手段】  足の踏付け部に相当する靴底部分に、空気の換気を促進するポンプ作用を発生する構造を設けることにより、従来よりも格段に優れた換気作用を実現する。  即ち、本発明は、弾性を有する靴底の内面側の少なくとも前足側踏付け部位と土踏まず部位にわたるほぼ一定深さの凹部を設け、前記凹部には多数の貫通孔を備え且つ下面に多数の突起を備えた弾性を有するシートで塞いで通気室を形成し、前記土踏まず部位において接地面から前記通気室に連通する通気穴を設け、前記踏付け部位において前記凹部と接地面との間に前記凹部に連通する空間部を設ける。【選択図】  図６
2005230255.tif 000002
【特許請求の範囲】
【請求項１】
弾性を有する靴底（１、４）の上面側に少なくとも前足側踏付け部位と土踏まず部位にわたるほぼ一定深さの凹部（２）を設け、前記凹部（２）には、多数の貫通孔（ａ）を備え且つ下面に多数の突起（ｂ）を備えた弾性を有するシート（３）で塞いで通気室（ｄ）を形成し、前記土踏まず部位において接地面から前記通気室（ｄ）に連通する通気穴（ｅ）を設け、前記踏付け部位において前記凹部（２）と接地面との間に前記凹部に連通する空間部（ｃ）を設けた靴。
【請求項２】
前記靴底は本底（４）とこれと一体の中底（１）とから構成され、前記凹部（２）は前記中底（１）の上面側に形成されている請求項１の靴。
【請求項３】
前記空間部（ｃ）は中底（１）の底面側に形成され通路を介して前記凹部（２）に連通している請求項２の靴。
【請求項４】
前記空間部（ｃ）に接する本底（４）の厚さはその周りの肉厚よりも薄く形成されている請求項３の靴。
【請求項５】
前記通気穴（ｅ）は防水性の通気性膜及び／又はメッシュを有する請求項１〜４のいずれかの靴。
【発明の詳細な説明】
【技術分野】
【０００１】
本発明は通気性を改良した運動靴その他の靴に関する。
【背景技術】
【０００２】
従来通気性を改善した靴は多数提案されている。例えば特開平９−２６６８０１号や特開２００３−１６４３０２号には、歩行に応じてポンプ作用を生じ、それにより外気を取り入れて靴内部を換気する構造を有する運動靴が記載されている。
特開平９−２６６８０１号は、本底前足部の接地面に、多数の弾性柱状を植立した空気ポンプ室を有するポンプ部材を付設すると共に、本底土踏まず部には空気出入口を設け、該空気出入口を前記空気ポンプ室に連絡する通気路を設け、前記本底前足部に前記ポンプ室から本底の貫通口を通じて本底前足部の内部面に設けた分配通路を設け、分配通路の上には複数の通気穴を有する中底を配置した、換気性の靴を記載している。
特開２００３−１６４３０２号は、弾性を有する素材からなる本底足裏部位の内面側に凹部を設け、この凹部を弾性を有する素材からなり多数の連通孔を備えた中底で塞いでなる通気空間に、この通気空間の土踏まず部位に連通する通気路を備えると共に、土踏まず部位における凹部底に通気路と外気とを連通する通気穴を設けて構成され、通気路を凹部の深さとほぼ同高とする多数の千鳥状に配置されたリブを凹部底に一体に立設することにより形成した靴が記載されている。
【０００３】
【特許文献１】特開平９−２６６８０１号
【特許文献２】特開２００３−１６４３０２号
【発明の開示】
【発明が解決しようとする課題】
【０００４】
上記特許文献１、２に示された靴の通気構造はほぼ同様の作用を有するもので、歩行につれて、踏付け部位に設けた空気ポンプ室内底面または本底内底面に一体形成された複数の弾性柱又はリブの形状が繰返して変形し、復元の際に外気がポンプ室に吸引され、次いで圧縮の際にこの取り込まれた空気が中底に形成された複数個の開口を通じて靴の内部に挿入されて換気を行うようになっている。
しかしながら、特許文献１、２に記載されたような弾性を利用して外気を吸引するポンプ室を設けただけでは換気性が不十分である問題がある。
【課題を解決するための手段】
【０００５】
本発明は上記課題を解決するために開発されたものであり、足の踏付け部に相当する靴底部分に、空気の換気を促進するポンプ作用を発生する空間部を通気室の下側の靴底内に設けることにより、従来よりも格段に優れた換気作用を実現する。
即ち、本発明は、弾性を有する靴底の内面側の少なくとも前足側踏付け部位と土踏まず部位にわたるほぼ一定深さの凹部を設け、前記凹部には多数の貫通孔を備え且つ下面に多数の突起を備えた弾性を有するシートで塞いで通気室を形成し、前記土踏まず部位において接地面から前記通気室に連通する通気穴を設け、前記踏付け部位において前記凹部と接地面との間に前記凹部に連通する空間部を設けることにより、従来の課題を解決する。
【発明の効果】
【０００６】
この構成によると、前足踏付け部位に通気室に連通する空間部が設けられ、空間部下側の靴底の肉厚が薄くなるので、歩行につれてこの部分の靴底が大きく屈伸するため、空気が通気室に激しく出入りするポンプ作用が得られるため、土踏まず部位の通気穴から通気室に取り入れられる空気の運動が促進されることにより、換気効率が向上する。
また、この構成によると、換気作用を生じる構造の大部分がシート側に設けられているために、靴のタイプごとに本底又は中底に設ける必要であった換気構造の大部分がシート側に担われることになり、靴底の設計と製造が簡略化されるため利益が得られる。
【発明を実施するための最良の形態】
【０００７】
本発明の靴底は一般にそれぞれの機能を有する別個の弾性素材の本底とこれと一体の中底とから構成される。そしてポンプ室でもある通気室を形成するための凹部は中底の上面側に形成される。
好ましくは、前記空間部は中底の底面側に形成され通路を介して前記凹部に連通している。これにより本来の換気作用が促進される。好ましくは、空間部に接する本底の厚さはその周りの肉厚よりも薄く形成されていることにより、歩行につれてこの部分が大きく屈伸して換気効率をさらに向上できる。
また、外気を取り入れるための通気穴は雨天等での防水のため、防水性で通気性の膜で塞がれること、また小石等で通気穴が塞がれないように接地面側に金属メッシュ等のメッシュを設けることが好ましい。
【実施例】
【０００８】
以下図面を参照して運動靴に関して本発明を詳しく説明する。図に於いてアッパー（甲皮）部分は省略されている。
本発明の靴底は、一般に公知の材料より製作された、接地面側の本底４（表底、アウトソールとも言う）と中底１（ミッドソールとも言う）の一体構造を有する。
図１に示すように、中底１の足底が接する上面側には前足側踏付け部位と土踏まず部位にわたるほぼ一定深さにくり抜いた凹部２を設ける。
【０００９】
図１と図６に示したように、凹部２には凹部を埋める厚さと外形を有する弾性シート３をはめ込んで塞ぎ、その周部を凹部２の周壁に接合する。図２〜４に示したように、シート３の裏面側の全面には柱状の突起ｂをほぼ一定間隔で設け、突起ｂの間に通気室ｄを形成する。
シート３の土踏まず部位の一部と踏付け部の一部（足指付け根部）には、突起ｂの間からシート上面まで貫通する小貫通孔ａを多数設け、通気室ｄを靴の足部空間に連通させる。突起ｂは靴の着用者の歩行につれて繰返し圧縮し復元し、通気室ｄの縮小拡張によるポンプ作用により空気の流動を生じさせる。貫通孔ａが足圧が加わらない部位にあるので空気は容易に靴の内室に押し出される。
【００１０】
図１に示したように土踏まず部位の少なくとも１個所（図では２個所）には換気促進部５が設けられる。靴底の側面を示す図５（ａ）及び底面を示す図５（ｂ）のＡ−Ａ’横断面を示す図６〜７に、換気促進部５の構造が示されている。図７は図６の部分拡大図である。換気促進部５は、本底４と中底１の接合部分において中底１の一部をくりぬいて形成した空間部ｃと、この空間部を通気室ｄに連通させる孔６を有する。空間部ｃの底を形成する本底４の上面は、本底４のこの部分の変形性を向上するために肉盗みをしても良い。
この構造により、換気促進部５の部分で本底４が足による踏付けにより図７（ａ）の状態から（ｂ）の状態へと大きく変形するので空間部ｃが縮小し、圧縮された空気が孔６を通して通気室ｄ内に押し出されて、通気室ｄの圧縮より上昇している空気圧をさらに上昇させるので、通気室ｄ内の空気は貫通孔ａから足裏側に強く押し出されることになる。足圧が除去されると本底４が復元して空間部ｃが拡張し空気を吸引する。
【００１１】
図５（ａ）、（ｂ）のＢ−Ｂ’断面図である図８を参照するに、前記土踏まず部位において空気取り入れ部７が形成される。この空気取り入れ部７には接地面から前記通気室ｄに連通する通気穴ｅを設ける。通気穴ｅの大きさと貫通孔ａの数及び直径は換気を最適にするような適当なバランスで設定する。通気穴ｅには接地側にメッシュを一体に設けて小石や砂を防ぐ。通気穴ｅの内側にはさらに通気性で防水性の膜ｆを設ける。
これにより、通気室ｄの伸縮に応じて空気が外部から取り込まれ、通気室ｄに取り込まれる。
【００１２】
（動作）
使用において、着用者が歩行すると、着地時には踏み付け部位においてシート３の裏面の柱状突起ｂが弾性的に押しつぶされ、その部分の通気室ｄが縮小してそこに存在する空気を圧縮する。これによりシート３の土踏まず部位の一部と踏付け部の足指付け根部の貫通孔ａを通して靴の内室即ち足裏側に空気が押し出される。貫通孔ａは足圧が加わらない部位にあるので空気は容易に靴の内室に押し出される。
足の持ち上げでシート３の突起ｂが弾性的に復元して通気室ｄが原形まで拡大復元するので、土踏まず部位に設けた空気取り入れ部７の通気穴ｅから外気が吸引された通気室ｄに取り込まれる。
更に、換気促進部５の部分で本底４が足による踏付けにより図７（ａ）の状態から（ｂ）の状態へと大きく変形するので空間部ｃが縮小し、圧縮された空気が孔６を通して通気室ｄ内に押し出されて、通気室ｄの圧縮より上昇している空気圧をさらに上昇させるので、通気室ｄ内の空気は貫通孔ａから足裏側に強く押し出されることになる。足圧が除去されると本底４が復元して空間部ｃが拡張し空気を吸引する。
【産業上の利用可能性】
【００１３】
本発明は、紳士及び婦人靴、通勤靴、運動靴、スポーツ専用靴等に応用できる。
【図面の簡単な説明】
【００１４】
【図１】本発明の実施例による換気性靴底の平面図である。
【図２】同実施例のシートの平面図である。
【図３】シートの底面図である。
【図４】シートの部分断面図である。
【図５】本底の外観を示し、（ａ）は側面図、（ｂ）は底面図である。
【図６】図５のＡ−Ａ’断面図である。
【図７】図６の部分拡大断面図を示し、（ａ）は踏みつけない場合の靴底の形状を示し、（ｂ）は踏付け時の空気の移動状態を示す。
【図８】図５のＢ−Ｂ’断面図である。
【符号の説明】
【００１５】
１  中底
２  凹部
３  シート
４  本底
５  換気促進部
６  孔
７  空気取り入れ部
ａ  貫通孔
ｂ  柱状突起
ｃ  空間部
ｄ  通気室
ｅ  通気穴
ｆ  通気性で防水性の膜
ｇ  メッシュ
【図１】
2005230255.tif 000003
【図２】
2005230255.tif 000004
【図３】
2005230255.tif 000005
【図４】
2005230255.tif 000006
【図５】
2005230255.tif 000007
【図６】
2005230255.tif 000008
【図７】
2005230255.tif 000009
【図８】
2005230255.tif 000010